【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
自己組織化ネットワーク(SON)における基地局でのハンドオーバの管理のための方法であって、
前記基地局で送信構成要素を介して、前記基地局からネットワークエンティティにハンドオーバシグナリングデータを送信するステップであって、前記基地局が、ハンドオーバシグナリングデータを前記ネットワークエンティティに送信している複数の基地局のうちの1つである、ステップと、
前記基地局で、前記基地局の1つまたは複数のハンドオーバパラメータに関連付けられるフィードバックを受信するステップであって、前記フィードバックが前記ネットワークエンティティから受信され、前記基地局または前記複数の基地局によって生成されたハンドオーバシグナリングデータの量の表示を含む、ステップと、
受信された前記フィードバックと、前記基地局で利用可能なローカル情報とに基づいて、前記基地局で前記1つまたは複数のハンドオーバパラメータを更新するステップと
を備え、
前記基地局で利用可能な前記ローカル情報が、前記基地局で生成されたハンドオーバシグナリングデータの量、前記基地局でのハンドオーバレート、前記基地局でサービスされるユーザの数、前記基地局によってサービスされるユーザ機器(UE)のモビリティパフォーマンス、前記基地局での無線リンク障害、前記基地局によってサービスされるUEの速度、前記基地局の送信電力、およびそれらの組合せのうちの少なくとも1つに基づき、
前記基地局で前記フィードバックを受信するステップが、前記基地局が、ハンドオーバシグナリングデータを、第1のしきい値よりも高い、またはそれを下回るレートで生成しているかどうかをさらに含み、前記第1のしきい値が、前記ネットワークエンティティの容量と、前記SONにおける基地局の数とに少なくとも基づいて、前記ネットワークエンティティで計算される、方法。
【請求項２】
前記基地局で前記フィードバックを受信するステップが、
前記ネットワークエンティティが、ハンドオーバシグナリングデータを、第2のしきい値よりも高い、またはそれを下回るレートで受信しているかどうかについての表示を受信するステップを含み、前記第2のしきい値が、前記ネットワークエンティティの容量に少なくとも基づいて、前記ネットワークエンティティで計算される、請求項1に記載の方法。
【請求項３】
前記基地局で利用可能な前記ローカル情報を決定するステップ
をさらに備える、請求項1に記載の方法。
【請求項４】
前記基地局で前記1つまたは複数のハンドオーバパラメータを更新する前記ステップが、
ヒステリシスパラメータ、time-to-trigger(TTT)パラメータ、フィルタ係数、イベントオフセットパラメータ、セル個別オフセット(CIO)パラメータ、報告範囲パラメータ、前記基地局での周波数オフセットパラメータ、およびそれらの組合せのうちの少なくとも1つを更新するステップを備える、請求項1に記載の方法。
【請求項５】
ハンドオーバ準備手順、ハンドオーバリソース割当て手順、ハンドオーバ通知手順、パス切替え要求手順、ハンドオーバキャンセル手順、シリアルナンバー(SN)ステータス転送手順、およびそれらの組合せのうちの少なくとも1つに基づいて、前記基地局で前記ハンドオーバシグナリングデータを決定するステップ
をさらに備える、請求項1に記載の方法。
【請求項６】
前記基地局で前記1つまたは複数のハンドオーバパラメータを更新する前記ステップが、
第1のレイヤ上で第3のしきい値よりも高いレートでシグナリングを生成しているユーザ機器(UE)を移動させるために、前記第1のレイヤ上の第1の基地局から、第2のレイヤ上の第2の基地局へのハンドオーバを開始するステップを備え、前記第3のしきい値が前記基地局で決定される、請求項1に記載の方法。
【請求項７】
前記第1の基地局と前記第2の基地局とが、異なるタイプの基地局であるか、異なる周波数で構成される、請求項6に記載の方法。
【請求項８】
自己組織化ネットワーク(SON)における基地局でのハンドオーバのハイブリッド管理のための装置であって、
前記基地局で送信構成要素を介して、前記基地局からネットワークエンティティにハンドオーバシグナリングデータを送信するための手段であって、前記基地局が、ハンドオーバシグナリングデータを前記ネットワークエンティティに送信している複数の基地局のうちの1つである、手段と、
前記基地局で、前記基地局の1つまたは複数のハンドオーバパラメータに関連付けられるフィードバックを受信するための手段であって、前記フィードバックが前記ネットワークエンティティから受信され、前記基地局または前記複数の基地局によって生成されたハンドオーバシグナリングデータの量の表示を含む、手段と、
受信された前記フィードバックと、前記基地局で利用可能なローカル情報とに基づいて、前記基地局で前記1つまたは複数のハンドオーバパラメータを更新するための手段と
を備え、
前記基地局で利用可能な前記ローカル情報が、前記基地局で生成されたハンドオーバシグナリングデータの量、前記基地局でのハンドオーバレート、前記基地局でサービスされるユーザの数、前記基地局によってサービスされるユーザ機器(UE)のモビリティパフォーマンス、前記基地局での無線リンク障害、前記基地局によってサービスされるUEの速度、前記基地局の送信電力、およびそれらの組合せのうちの少なくとも1つに基づき、
前記基地局でフィードバックを受信するための手段が、前記基地局が、ハンドオーバシグナリングデータを、第1のしきい値よりも高い、またはそれを下回るレートで生成しているかどうかをさらに含み、前記第1のしきい値が、前記ネットワークエンティティの容量と、前記SONにおける基地局の数とに少なくとも基づいて、前記ネットワークエンティティで計算される、装置。
【請求項９】
自己組織化ネットワーク(SON)における基地局でのハンドオーバのハイブリッド管理のための装置であって、
前記送信するための手段は、前記基地局からネットワークエンティティにハンドオーバシグナリングデータを送信するためのハンドオーバシグナリングデータ送信構成要素であって、前記基地局が、ハンドオーバシグナリングデータを前記ネットワークエンティティに送信している複数の基地局のうちの1つである、ハンドオーバシグナリングデータ送信構成要素をさらに備え、
前記受信するための手段は、前記基地局で、前記基地局の1つまたは複数のハンドオーバパラメータに関連付けられるフィードバックを受信するためのフィードバック受信構成要素であって、前記フィードバックが、前記ネットワークエンティティから受信され、前記基地局または前記複数の基地局によって生成されたハンドオーバシグナリングデータの量の表示を含む、フィードバック受信構成要素をさらに備え、
前記更新するための手段は、受信された前記フィードバックと、前記基地局で利用可能なローカル情報とに基づいて、前記基地局で前記1つまたは複数のハンドオーバパラメータを更新するためのハンドオーバパラメータ更新構成要素をさらに備える、請求項8に記載の装置。
【請求項１０】
自己組織化ネットワーク(SON)における基地局でのハンドオーバのハイブリッド管理のためのコンピュータ可読記憶媒体であって、前記UE内に含まれるプロセッサまたは処理システムによって実行されると、前記UEに請求項1から7のいずれか一項に記載の方法を実行させる、コンピュータ可読記憶媒体。